(57)【特許請求の範囲】
【請求項１】
基端側が回転軸によって相互に回転自在に結合され中間部の把持部の把持操作で先端側が挟持動作を行う挟持アームと、前記挟持アームの先端側に対向配置され前記挟持動作で毛髪を加温しながら挟持矯正するための矯正体とを備えたヘアーアイロンにおいて、
前記挟持アームの先端側を、前記把持部よりも相互の合わせ方向へ細く形成すると共に挟持動作方向の側面から見て把持部よりも細身に形成して前記把持部に対し前記回転軸の芯方向に沿う毛髪挿通方向の一側へずらし、
前記先端側の矯正体厚み方向に湾曲し前記先端側に巻き付けた毛髪に接してカールの癖付けを行うためのカール形成曲面を備えた毛髪挿通方向の一端縁を、前記把持部の毛髪挿通方向端縁よりも前記毛髪挿通方向の一側へ突出形成すると共に、該先端側の他端縁は、前記毛髪挿通方向の一端縁に合わせて毛髪挿通方向で挟持アームの中央側へ入り込んで形成され、
前記把持部と、前記挟持アームの先端側との間に、当該把持部よりも肥大した力点部を形成したことを特徴とするヘアーアイロン。
【発明の詳細な説明】
【０００１】
【発明の属する技術分野】
本発明は、毛髪にストレートパーマ又はパーマネントウェーブをかけるため等に供するヘアーアイロンに関する。
【０００２】
【従来の技術】
従来のヘアーアイロンとしては、例えば図８に示すようなものがある（特開２００１−１３７０３８参照）。図８（ａ）はヘアーアイロンの全体構成図、図８（ｂ）は内部を示す断面図、図８（ｃ）は狭持動作方向から見た側面図である。
【０００３】
図８（ａ），（ｂ）のように、従来のヘアーアイロン１０１は、アイロン本体１０３に電源コード１０５が接続され、この電源コード１０５の中間部に温度制御装置１０７が接続され、端部に電源プラグ１０９が取り付けられたものである。
【０００４】
前記アイロン本体１０３は、一対の樹脂製の挟持アーム１１１，１１３を備えている。この挟持アーム１１１，１１３は基端側１１５，１１７が相互に回転自在に結合され、先端側１１９，１２１に矯正体１２３，１２５が対向配置されている。
【０００５】
そして、電源プラグ１０９をコンセントに差し込み、温度制御装置１０７によって矯正体１２３，１２５を発熱させ、該矯正体１２３，１２５の挟持動作により毛髪を挟みつつ該毛髪に対して滑らせ、矯正体１２３，１２５の発熱による加温作用を加えることにより毛髪を挟持矯正する。
【０００６】
従って、このようなヘアーアイロンを用いることによって生まれながらの癖毛を伸ばしたり人工的なパーマネントウェーブを直したりすることができる。
【０００７】
【発明が解決しようとする課題】
しかしながら上記のようなヘアーアイロン１０１では、狭持アーム１１１，１１３が図８（ｃ）のように基部側１１５から先端側に渡って同一幅で形成されているため、基部側１１５を把持して施術を行うときに、把持した手が狭持アーム１１，１１３の一側に突出した形態となり、施術中に手が被施術者の頭部に接触し易かった。
【０００８】
特に、ある程度短い髪の被施術者のときは、突出した手が頭部に当たり、施術が困難となるか、相当の施術時間を要してしまうと共に、施術に熟練を要するという問題があった。
【０００９】
本発明は、狭持アームを把持した手が施術者の頭部に接触しにくく、短い髪の被施術者であっても容易に施術することのできるヘアーアイロンの提供を課題とする。
【００１０】
【課題を解決するための手段】
請求項１の発明は、基端側が回転軸によって相互に回転自在に結合され中間部の把持部の把持操作で先端側が挟持動作を行う挟持アームと、前記挟持アームの先端側に対向配置され前記挟持動作で毛髪を加温しながら挟持矯正するための矯正体とを備えたヘアーアイロンにおいて、前記挟持アームの先端側を、前記把持部よりも相互の合わせ方向へ細く形成すると共に挟持動作方向の側面から見て把持部よりも細身に形成して前記把持部に対し前記回転軸の芯方向に沿う毛髪挿通方向の一側へずらし、前記先端側の矯正体厚み方向に湾曲し前記先端側に巻き付けた毛髪に接してカールの癖付けを行うためのカール形成曲面を備えた毛髪挿通方向の一端縁を、前記把持部の毛髪挿通方向端縁よりも前記毛髪挿通方向の一側へ突出形成すると共に、該先端側の他端縁は、前記毛髪挿通方向の一端縁に合わせて毛髪挿通方向で挟持アームの中央側へ入り込んで形成され、前記把持部と、前記挟持アームの先端側との間に、当該把持部よりも肥大した力点部を形成したことを特徴とする。
【００１２】
【発明の効果】
請求項１の発明では、挟持アームの中間部の把持部を把持して操作すると、基端側が回転軸によって相互に回転し、先端側が挟持動作を行う。この挟持動作によって挟持アームの先端側に対向配置された矯正体により毛髪を加温しながら挟持矯正することができる。
【００１６】
また、前記矯正体の毛髪挿通方向の一端縁に、該矯正体の厚み方向に湾曲したカール形成曲面を設けたため、癖毛を伸ばしたり人工的なパーマネントウェーブを直したりすることができるほか、カール形成曲面を用いて、カールの癖付けを行うことができる。
【００１７】
そして、前記挟持アームの先端側を、前記把持部よりも相互の合わせ方向へ細く形成すると共に挟持動作方向の側面から見て把持部よりも細身に形成して前記把持部に対し前記回転軸の芯方向に沿う毛髪挿通方向の一側へずらし、前記先端側に巻き付けた毛髪に接してカールの癖付けを行うための前記カール形成曲面を備えた毛髪挿通方向端縁を、前記把持部の毛髪挿通方向端縁よりも前記毛髪挿通方向の一側へ突出形成すると共に、該先端側の他端縁は、前記毛髪挿通方向の一端縁に合わせて毛髪挿通方向で挟持アームの中央側へ入り込んで形成され、前記把持部と前記挟持アームの先端側との間に、当該把持部よりも肥大した力点部を形成したため、把持部における力点部を把持した状態で前記先端側の毛髪挿通方向の一端縁を前記把持部の毛髪挿通方向端縁よりも被施術者の頭部へより近づけることができる。
【００１８】
従って、施術中に把持部を把持した手が被施術者の頭部に接触しづらく、短い髪の被施術者であっても、癖毛を伸ばしたり人工的なパーマネントウェーブを直し、或いはカールの癖付けを行うことを熟練を要することなく、短時間で、容易に施術することができる。
【００１９】
【発明の実施の形態】
図１〜図４は本発明の一実施形態に係るヘアーアイロンを示し、図１は一部を省略した全体斜視図、図２は分割部分を外した状態で一部を断面にした平面図、図３は拡大側面図、図４は平面図、図５は挟持アームを開いた状態の底面図である。
【００２０】
これら図１〜図５のように、ヘアーアイロン１は、電源コード３が接続されたアイロン本体５を備えている。なお電源コード３には、例えば温度制御装置、電源プラグ等が備えられている。
【００２１】
前記アイロン本体５は、一対の挟持アーム７，９と、一対の矯正体１１，１３を備えている。前記挟持アーム７，９は、例えば線膨張係数8.8×１０−５ｃｍ／ｃｍ／℃のシーポリエステル系エンジニアリングプラスチック等の樹脂製であり、基端側１５，１７が回転軸１９によって相互に回転自在に結合されている。各挟持アーム７，９の中間部には、把持部２１，２３が設けられている。この把持部２１，２３は把持しやすいように図２、図４、図５のように比較的太く形成され、基端側１５，１７とほぼ同一の太さとなっている。
【００２２】
前記把持部２１，２３には、その先端側に傾斜面で形成された力点部２５，２７が設けられている。この力点部２５，２７は、把持部２１，２３を把持したとき親指や人差し指を当てて力を加えるようにするものである。前記力点部２５，２７は、図３の側面から見ると前記把持部２１，２３全体よりも若干肥大して形成され、親指や人差し指を当てやすいようになっている。
【００２３】
前記挟持アーム７，９の先端側２９，３１は、図２、図４、図５のように、把持部２１，２３よりも相互の合わせ方向へ細く形成されている。
【００２４】
前記挟持アーム７，９の先端側２９，３１は、前記狭持動作方向の図３の側面から見て前記把持部２１，２３よりも細身に形成されている。この細身の先端側２９，３１は、前記把持部２１，２３に対し毛髪挿通方向の一側へずらして形成されている。前記先端側２９，３１の後述するカール形成曲面を備えた毛髪挿通方向端縁３３を前記把持部２１，２３の毛髪挿通方向端縁３５よりも毛髪挿通方向の一側へ突出形成している。両端縁３３，３５は、傾斜面３７で段差的に連続設定されている。
【００２５】
前記先端側２９，３１の他端縁３９は、前記一端縁３３に合わせて一側へずれて形成され、前記把持部２１，２３の中央側へ入り込んでいる。
【００２６】
かかる挟持アーム７は、中空状に形成されており、図３のように分割線４１によりそれぞれ分割部分４３ａ，４５ａ、分割部分４３ｂ，４５ｂの合わせ構造となっている。これら分割部分４３ａ，４５ａ、分割部分４３ｂ，４５ｂは、先端側２９，３１、把持部２１，２３、基端側１５，１７において締結具である例えばビス４８，４９，５１によって相互に締結結合されている。前記分割部分４３ａ，４３ｂには、先端側２９，３１において締結用の孔４７が貫通形成されている。
【００２７】
前記中空の把持部２１，２３内には、複数の補強リブ５３が設けられている。前記一方の挟持アーム７には、両アーム７，９の対向側に凸部５５が設けられ、他方の挟持アーム９には前記凸部５５が嵌合する凹部５７が設けられている。前記凸部５５は、前記凹部５７の底面に突き当たってストッパの機能を奏するようになっている。
【００２８】
こうして、前記挟持アーム７は、基端側１５，１７が相互に回転自在に結合され、中間部の把持部２１，２３の操作で先端側２９，３１が挟持動作を行う構成となっている。
【００２９】
前記挟持アーム７，９の先端側２９，３１の断面は、図３のＳＡ−ＳＡ矢視の拡大断面で示す図６のようになっている。また図７は、先端側２９，３１において分割部分４３ａ，４３ｂを取り外し、矯正体１１，１３を断面にして示した要部拡大平面図である。なお、以下の説明では挟持アーム７，９の先端側２９，３１が対称形状となっているため先端側２９を主に説明し、他方の先端側３１は先端側２９の説明を参照する。
【００３０】
前記先端側２９は、図６，図７のように内部に芯材８３を収容する平坦な縦壁面５９，６１及び平坦な底壁面６３を備えている。なお、先端側３１には対称形状の芯材８５が収容されるように、前記平坦な縦壁面５９，６１及び平坦な底壁面６３と同様な面が形成されている。また先端側２９には、前記矯正体１１を他方側に対し進退自在となるように可動支持する矯正体支持穴６５が設けられている。この矯正体支持穴６５に、前記矯正体１１が可動支持されている。
【００３１】
従って、前記矯正体１１，１３は、前記挟持アーム７，９の先端側２９，３１に対向配置され、前記挟持アーム７，９の挟持動作で毛髪を加温しながら挟持矯正する構成となっている。
【００３２】
前記矯正体１１は、熱板６７と、セラミックヒータ６９と、マグネットプレート７１と、第１ばね７３と、第２ばね７５とからなっている。
【００３３】
前記熱板６７は、アルミ等の軽量で熱伝導率の高い材料により対向側から見て矩形板状に形成され、表面がフッ素コーティングされている。前記熱板６７の毛髪挿通方向端縁の少なくとも一方（本実施形態では双方）に、該熱板６７の厚み方向に湾曲したカール形成曲面６８が設けられている。
【００３４】
前記熱板６７の背後には、収容部７７が一体に設けられ、前記矯正体支持穴６５に対し可動支持され、他方側である矯正体１３に対し進退自在となっている。このような進退自在な支持は、矯正体１３においても同様である。
【００３５】
前記収容部７７の上下壁には、係合片部７９，８１が設けられ、前記熱板６７の一定以上の突出移動を規制するようになっている。前記セラミックヒータ６９、マグネットプレート７１、第１ばね７３は、前記収容部７７内に収容されている。
【００３６】
前記セラミックヒータ６９は、矩形板状を呈し、最高温度約１８０°まで発熱し、前記熱板６７に熱伝導を行うもので、前記電源コード３側に電気的に接続されている。
【００３７】
前記マグネットプレート７１は、１５０００ガウスのネオジウム磁石等により矩形板状に形成され、両矯正体１１，１３相互でＳ極又はＮ極が対峙するように配置されている。
【００３８】
前記第１ばね７３は、板ばねで形成され、前記マグネットプレート７１を収容部７７内で熱板６７背面方向に付勢しセラミックヒータ６９を熱板６７の背面に密着させると共に、マグネットプレート７１を安定支持している。
【００３９】
前記第２ばね７５は、前記収容部７７の後端に支持され、この第２ばね７５は、前記矯正体１１，１３を付勢して矯正体１１，１３相互による挟持状態を弾性的に調節する付勢手段を構成している。前記第２ばね７５は、板ばねで形成され、両端部７５ａ，７５ｂが傾斜設定され、端縁が前記分割部分４３ａ側の突起部に図７左右方向（長手方向）で係合している。
【００４０】
次に、前記ヘアーアイロン１を用いて癖毛を伸ばしたり人工的なパーマネントウェーブを直す場合について説明する。
【００４１】
まず、前記ヘアーアイロン１の使用時には、まず毛髪に第一剤、すなわちチオグリコール酸やシステイン等のメルカプト化合物（還元剤）を主剤とする水溶液にアンモニア、モノエタノールアミン、トリエタノールアミン等の塩基性物質を加えてｐＨ６〜１０に調整した液剤を塗布する。この塗布により、毛髪中のケラチン蛋白質に含まれているシスチンのジスルフィド結合が還元されてメルカプト基として切断され、その後、毛髪を水洗し、順次ドライヤ等で乾燥させた後、１４０〜１８０℃に加熱したヘアーアイロン１によりこの髪を直毛に整える。
【００４２】
具体的には、挟持アーム７，９の把持部２１，２３を把持し、力点部２５，２７に親指と人差し指を当てるなどして力を加え、矯正体１１，１３の熱板６７間で毛髪を挟み込む。その後、その状態を維持して挟持アーム７，９を毛先へと滑らせる。これにより、セラミックヒータ６９により熱せられた熱板６７間で挟まれた毛髪が加熱されながら伸ばされる。
【００４３】
このとき毛髪はＳ極を対峙させたマグネットプレート７１間を所定の速度で移動するため、フレミングの右手の法則により還元エネルギが発生する。このエネルギは磁極の電子が右回転するマグネットプレート７１のＳ極から発生し、第一液の還元作用を促進させることになる。しかも、毛髪の表層部を形成するキューティクルを閉じる働きもする。キューティクルが閉じると、紫外線が毛髪の内部に入り込もうとするのを遮断し、毛髪が紫外線により損傷するのを防ぐことができる。
【００４４】
またこの還元のエネルギにより、第一液の水のクラスタが小さくなる。このクラスタが小さくなることで、第一液の毛髪への浸透性が高まる。よって、さらに第一液の還元作用が促進される。その結果、毛髪が損傷する恐れを伴う施術時間を短くすることができ、毛髪の傷みも抑制することができる。
【００４５】
なお、その後頭髪に臭素酸ナトリウム、過酸化水素等の酸化剤の水溶液からなる第二液を塗布し、この結果、メルカプト基を酸化して毛髪に新たなジスルフィド結合を生成させ、この直毛状態を固定化することができる。
【００４６】
次に、ヘアーアイロン１によってパーマネントウェーブをかける場合について説明する。
【００４７】
前記矯正体１１，１３による毛髪の狭持動作は前記と同様である。そして、パーマネントウェーブをかける場は、カール形成曲面６８に毛髪を押し付ける。従って、前記矯正体１１，１３により毛髪を狭持したままアイロン本体５を回転させ、先端側２９又は３１へ毛髪を巻き付ける。
【００４８】
これにより、例えば熱板６７の一方のカール矯正曲面６８に毛髪が巻き付けられると、毛髪がカール形成曲面６８に十分に接することにより、十分なカールの癖付けを行うことができる。
【００４９】
しかも、前記挟持アーム７，９の先端側２９，３１を、前記狭持動作方向の側面から見て図３のように前記把持部２１，２３よりも細身に形成しているため、前記先端側２９，３１への毛髪の巻き付けを容易に行わせることができる。
【００５０】
前記細身の先端側２９，３１を、前記把持部２１，２３に対し毛髪挿通方向の一側へずらし、前記先端側２９，３１の前記カール形成曲面６７を備えた毛髪挿通方向端縁３３を前記把持部２１，２３の毛髪挿通方向端縁３５よりも毛髪挿通方向の一側へ突出形成したため、把持部２１，２３を把持した状態で前記先端側２９，３１の毛髪挿通方向端縁３３を前記把持部２１，２３の毛髪挿通方向端縁３５よりも被施術者のの頭部へより近づけることができる。
【００５１】
従って、施術中に把持部２１，２３を把持した手が被施術者の頭部に接触しづらく、短い髪の被施術者であっても、癖毛を伸ばしたり人工的なパーマネントウェーブを直し、或いはカールの癖付けを行うことを熟練を要することなく、短時間で、容易に施術することができる。
【００５２】
前記施術中に把持部２１，２３を把持した手が被施術者の頭部に接触しづらいという作用は、癖毛を伸ばしたり人工的なパーマネントウェーブを直す場合についても有効であることはもちろんである。
【００５３】
なお、本発明は上記実施形態に限定されるものではない。例えば、矯正体１１，１３の一方又は双方を、先端側２９，３１に対し移動できない固定式にすることも可能である。マグネットプレート７１、第１ばね７３は省略することも可能である。
【００５４】
前記熱板６７に、カール形成曲面を設けたが、癖毛を伸ばしたり人工的なパーマネントウェーブを直したりすることのみに使用するのであれば、カール形成曲面６８を省略することもできる。
【００５５】
また、挟持アーム７，９の先端側２９，３１を、前記狭持動作方向の側面から見て前記把持部２１，２３よりも細身に形成することは必ずしも必要ではない。
【図面の簡単な説明】
【図１】本発明の一実施形態に係るヘアーアイロンの斜視図である。
【図２】一実施形態に係り、分割部分を外した状態の平面図である。
【図３】一実施形態に係り、拡大側面図である。
【図４】一実施形態に係る平面図である。
【図５】一実施形態に係り、挟持アームを開いた状態の底面図である。
【図６】一実施形態に係り、図３のＳＡ−ＳＡ矢視拡大断面図である。
【図７】一実施形態に係り、分割部分を外した状態の先端側の要部拡大平面図である。
【図８】従来例に係り、（ａ）はヘアーアイロンの全体構成図、（ｂ）は内部を示す断面図、（Ｃ）は狭持動作方向から見た側面図である。
【符号の説明】
１  ヘアーアイロン
７，９  挟持アーム
１１，１３  矯正体
１５，１７  基端側
２１，２３  把持部
２９，３１  先端側
３３  先端側の毛髪挿通方向端縁
３５  把持部の毛髪挿通方向端縁
６７  熱板
６８  カール形成曲面
【図１】
0004230707.tif 000002
【図２】
0004230707.tif 000003
【図３】
0004230707.tif 000004
【図４】
0004230707.tif 000005
【図５】
0004230707.tif 000006
【図６】
0004230707.tif 000007
【図７】
0004230707.tif 000008
【図８】
0004230707.tif 000009